(57)【要約】      （修正有）【課題】洗い桶に溜めていた水を一気に流すときでも、その水流の勢いで水切りネットが浮き上がることがなく、溜まったゴミを手軽に廃棄できる。【解決手段】椀状に形成された網本体１と、該網本体１に穿孔された透孔２とを備える。網本体１は、シリコン等の軟性素材から成形されており、生ゴミが捨て易いように、換言すれば、網に溜まった少量の生ゴミでも手軽に網そのものが変形して掴めるように柔らかく仕上げられている。透孔２は、網本体１の上端開口縁１ａに沿って周設された上位透孔２ａと、該上位透孔２ａよりも下位に設けられた下位透孔２ｂとに大別する。上位透孔２ａの孔径としては、例えば直径５ｍｍ以上が良く、また、下位透孔２ｂの孔径としては、直径１．５ｍｍ〜５ｍｍ未満にするのが良い。更に、上位透孔２ａと下位透孔２ｂとの総面積の比率が、２：８〜４：６内であるのが良い。【選択図】図２
0003135609.tif 000002
【実用新案登録請求の範囲】
【請求項１】
排水口に着脱自在に配設される有底状の網本体を備えた排水口用網において、前記網本体の上端開口縁に沿って周設された最上位の透孔（以下、単に上位透孔という）と、該上位透孔よりも下位に設けられた透孔（以下、単に下位透孔という）との大きさを違えたことを特徴とする排水口用網。
【請求項２】
前記上位透孔は、下位透孔よりも大きく形成されていることを特徴とする請求項１に記載の排水口用網。
【請求項３】
前記上位透孔は、直径５ｍｍ以上であり、下位透孔は直径１．５ｍｍ〜５ｍｍ未満であることを特徴とする請求項１又は２に記載の排水口用網。
【請求項４】
前記上位透孔と下位透孔との総面積の比率が２：８〜４：６であることを特徴とする請求項１、２又は３に記載の排水口用網。
【請求項５】
前記網本体は、シリコン等の軟性素材にて椀状に成形されていることを特徴とする請求項１に記載の排水口用網。
【考案の詳細な説明】
【技術分野】
【０００１】
本考案は、主としてシンクの排水口に使用される排水口用網の改良に関し、更に詳しくは、ゴミを手軽に廃棄できるのみならず、シンク内へ一気に水を流しても網本体が安易に浮き上がることのない有用な排水口用網に関する。
【背景技術】
【０００２】
従来、斯かる排水口用網としては、例えば、円形の水切りネットの外縁部にゴムを付け、シンクや風呂等の排水口に被せて使用するものがあり、水使用時に生じるゴミを排水口で受け止めている（例えば、特許文献１参照）。
【特許文献１】実用新案登録第３０５９８６１号公報
【考案の開示】
【考案が解決しようとする課題】
【０００３】
しかしながら、上述した従来の排水口用網にあっては、水切りネットの透孔の大きさ（孔径）が小さい場合は、ゴミが透孔に詰まって水が流れなくなってしまうといった問題があり、また、洗い桶（１０リットル〜１５リットル）に溜めていた水を一気に流すと、その水流の勢いで水切りネットが浮き上がったり、外れてしまうため、ゴミが直に排水口内に流れてしまうといった問題がある。
【０００４】
本考案はこのような従来の問題点に鑑みてなされたもので、洗い桶の水を一気に流しても網本体が浮き上がらず、また、ゴミも手軽に廃棄することができる有用な排水口用網を提供することを目的としたものである。
【課題を解決するための手段】
【０００５】
上述の如き従来の問題点を解決し、所期の目的を達成するため本考案の要旨とする構成は、排水口に着脱自在に配設される有底状の網本体を備えた排水口用網において、網本体の上端開口縁に沿って周設された上位透孔と、該上位透孔よりも下位に設けられた下位透孔との大きさを違えてなる排水口用網に存する。
【０００６】
また、前記上位透孔は、下位透孔よりも大きく形成されているのが良く、延いては、前記上位透孔は直径５ｍｍ以上、下位透孔は直径１．５ｍｍ〜５ｍｍ未満であるのが好ましい。
【０００７】
更に、前記上位透孔と下位透孔との総面積の比率が２：８〜４：６であるのが良く、前記網本体をシリコン等の軟性素材で椀状に成形するのが良い。
【考案の効果】
【０００８】
本考案は上述のように構成され、網本体の上端開口縁に沿って周設された上位透孔と、該上位透孔よりも下位に設けられた下位透孔との大きさを違えたことによって、網本体の上位と下位とでは通水力に変化が生じ、また、網本体内に水圧による重心がかかることも相俟って、同網本体の安易な浮き上がりを防止することができるといった効果を奏する。
【０００９】
特に、前記上位透孔が下位透孔よりも大きく形成されていること、延いては、前記上位透孔が直径５ｍｍ以上で、下位透孔が直径１．５ｍｍ〜５ｍｍ未満であることによって、上位透孔から水が良く抜ける反面（下位透孔の孔径が小さくなっている分）網本体の中には水が溜まり易くなることから、その重みが網本体の底部にかかり排水口内に密着し易くなるといった効果を奏する。
【００１０】
また、前記上位透孔と下位透孔との総面積の比率が２：８〜４：６であることによって、上位透孔と下位透孔との通水力に差異を生じさせながら網本体の中に溜まる水の重さで圧力を下位にかけることができるため、横からの水流に対する浮力を減滅できるといった効果を奏するものであり、網本体の安易な浮き上がりを防止することができる。
【００１１】
更に、前記網本体は、椀状に形成されていることからゴミが中央部に溜まるため、ゴミを手指で掴んで廃棄し易く、また、前記網本体をシリコン等の軟性素材で形成することにより網本体の中央部を底外面から変形させられるため、ゴミを手指で掴まなくても、より容易にゴミを廃棄する効果を奏する。
【考案を実施するための最良の形態】
【００１２】
網本体をシリコンにて椀状に成形し、その上端開口縁に沿って上位透孔を周設せしめる。また、上位透孔は、その下位に設けられた透孔（下位透孔）との大きさを違える。例えば、前記上位透孔が直径５ｍｍ以上、下位透孔が直径１．５ｍｍ〜５ｍｍ未満に穿孔し、かつ、上位透孔と下位透孔との総面積の比率が２：８〜４：６（好ましくは３：７）になるように穿設するのが良い。
【実施例】
【００１３】
次に本考案に係る排水口用網の実施の一例を図面を参照しながら説明する。図中Ａは、本考案の排水口用網であり、この排水口用網Ａは、椀状に形成された網本体１と、該網本体１に穿孔された透孔２とを備えている。
【００１４】
また、網本体１は、シリコン等の軟性素材から成形されており、生ゴミが捨て易いように、換言すれば、網に溜まった少量の生ゴミでも手軽に網そのものが変形して手指で掴めるように柔らかく仕上げられている。
【００１５】
更に、透孔２は、網本体１の上端開口縁１ａに沿って周設された上位透孔２ａと、該上位透孔２ａよりも下位に設けられた下位透孔２ｂとに大別することができる。
【００１６】
尚、上位透孔２ａの孔径としては、例えば直径５ｍｍ以上が良く、また、下位透孔２ｂの孔径としては、直径１．５ｍｍ〜５ｍｍ未満にするのが良い。
【００１７】
更に、上位透孔２ａと下位透孔２ｂとの総面積の比率が、３：７になるように穿孔されている。因に、この比率は、３：７に限定されるものではなく、上位透孔２ａ：下位透孔２ｂが２：８〜４：６内であれば良い。
【００１８】
このように構成される排水口用網は、上位透孔２ａと下位透孔２ｂとの孔径差で通水力に差異を生じさせながら網本体１の中底に溜まる水の重さ（圧力）をかけることができるため（底重心）、横からの水流に対する浮力を減滅できるものであり、網本体１の安易な浮き上がりを防止することができる。
【００１９】
従って、従来の如き洗い桶（１０リットル〜１５リットル）に溜めていた水を一気に流しても、網本体１が浮き上がってしまうことがないため、従来の如きゴミが直に排水口内に流れてしまうといった問題を解消することができる。因に、図中１ｂは摘みであり、網本体１を排水口(図示せず)から簡単に取り外せるように上端開口縁１ａから水平方向へ延出されている。
【００２０】
尚、本考案の排水口用網は本実施例に限定されることなく、本考案の目的の範囲内で自由に設計変更し得るものであり、本考案はそれらの全てを包摂するものである。例えば、本考案の排水口用網は、主としてシンクの排水口で使用されるものであるが、これに限定されることなく、例えば、浴室、洗面台等の排水口に使用できることは云うまでもない。
【図面の簡単な説明】
【００２１】
【図１】本考案に係る排水口用網の平面図である。
【図２】本実施例で使用する網本体の透孔状態を示す断面図である。
【符号の説明】
【００２２】
１  網本体
１ａ  上端開口縁
１ｂ  摘み
２  透孔
２ａ  上位透孔
２ｂ  下位透孔
【図１】
0003135609.tif 000003
【図２】
0003135609.tif 000004